(57)【要約】【課題】エンジンの動作中に外部電源による蓄電装置の充電を開始してもハイブリッド自動車が動き出さないようにして充電の信頼性・安全性を向上する。【解決手段】エンジン２の動作中に充電器２２の充電ケーブル２３の電源プラグ２４を外部電源である商用電源コンセントに差し込んで蓄電装置１８の外部電源による充電を開始したときに、外部電源に充電器２２が接続された状態を、充電制御コンピュータ２５が検出し、この検出に基づいてエンジンコンピュータ１５がエンジン２を停止制御して自動的に停止し、充電中にエンジン２の駆動力によってハイブリッド自動車１が動き出さないようにする。【選択図】図１
2008284952.tif 000002
【特許請求の範囲】
【請求項１】
駆動力の発生源としてのエンジン及びモータと、前記エンジン及び前記モータの駆動力を駆動輪に伝達する伝達手段と、前記モータの電源を形成する充電可能な蓄電装置と、前記蓄電装置の外部電源による充電時に前記外部電源に接離自在に接続されて前記外部電源に基づく充電電力を前記蓄電装置に給電する充電接続手段とを備えたハイブリッド自動車の駆動装置であって、
前記外部電源と前記充電接続手段とが接続された状態か否かを検出する検出手段と、
前記外部電源と前記充電接続手段とが接続された状態を前記検出手段が検出した場合に、動作中の前記エンジンを停止制御するエンジン停止制御手段とを備えたことを特徴とするハイブリッド自動車の駆動装置。
【請求項２】
請求項１記載のハイブリッド自動車の駆動装置において、
前記外部電源と前記充電接続手段とが接続された状態を前記検出手段が検出した場合に、前記蓄電装置から前記モータへの給電を禁止制御するモータ停止制御手段を、さらに備えたことを特徴とするハイブリッド自動車の駆動装置。
【請求項３】
駆動力の発生源としてのエンジン及びモータと、前記駆動力を駆動輪に伝達する伝達手段と、前記モータの電源を形成する充電可能な蓄電装置と、前記蓄電装置の充電時に外部電源に接離自在に接続されて前記外部電源に基づく充電電力を前記蓄電装置に給電する充電接続手段とを備えたハイブリッド自動車の駆動装置であって、
前記外部電源と前記充電接続手段とが接続された状態か否かを検出する検出手段と、
前記外部電源と前記充電接続手段とが接続された状態を前記検出手段が検出した場合に、ドアを閉じた状態にロックするロック制御手段とを備えたことを特徴とするハイブリッド自動車の駆動装置。
【発明の詳細な説明】
【技術分野】
【０００１】
この発明は、エンジン及びモータの駆動力で走行するハイブリッド自動車の駆動装置に関し、詳しくは、前記モータの電源を形成する蓄電装置の外部電源による充電の改良に関する。
【背景技術】
【０００２】
従来、この種のハイブリッド自動車は、モータの電源としてバッテリ（２次電池）、電気二重層コンデンサ（キャパシタ）等の充電可能な蓄電装置を駆動装置に備える。
【０００３】
そして、前記蓄電装置の外部電源による充電は、ハイブリッド自動車の充電器から引き出された充電ケーブルを外部電源（具体的には商用交流電源）にコネクタ接続して行なわれる。
【０００４】
この場合、蓄電装置の充電器と外部電源とがケーブル接続されている充電中に何らかの原因でハイブリッド自動車が動き出すと、充電器のコネクタや充電ケーブルの破損、回路故障等が生じる。
【０００５】
そして、前記コネクタ接続を検知して充電中のモータの駆動を禁止するようにしても、充電中のイグニッションキー操作、プッシュスタート操作等のスタート操作によってエンジンがかかると、このエンジンが発生する駆動力によってハイブリッド自動車が走行可能な状態になり、充電中のドライバの誤った操作やクリープ現象等によってハイブリッド自動車が動き出すおそれがある。
【０００６】
そこで、前記蓄電装置と駆動制御部との間にメインリレーを配設し、このメインリレーを介した蓄電装置の電力によってモータ駆動を行なう構成のハイブリッド自動車において、前記コネクタ接続を検知したときにメインリレーを電力供給状態にすることを禁止し、外部電源による充電中はモータ駆動が行なえないようにしてハイブリッド自動車が動き出さないようにすることが提案されている（例えば、特許文献１参照）。
【特許文献１】特開２００６−２２３０５７号公報（請求項１、９、［０００６］−［０００９］、［００４２］−［００４４］、図１、図２、図３等）
【発明の開示】
【発明が解決しようとする課題】
【０００７】
前記特許文献１に記載の従来のハイブリッド自動車は、蓄電装置の充電開始前に、蓄電装置の充電器と外部電源とのケーブル接続（前記コネクタ接続）の検知に基づき、メインリレーを電力供給状態にすることを禁止し、これによって外部電源による充電中にはモータ駆動が行なえないようにしてハイブリッド自動車が動き出さないようにする。そのため、ハイブリッド自動車が、蓄電装置の電力でモータ走行を開始し、その後、走行状態に応じてエンジンも動作し、走行し続けるタイプであれば、エンジンの停止中に蓄電装置の充電器と外部電源とをケーブル接続して外部充電が開始され、前記した充電の不都合は生じない。
【０００８】
しかしながら、この種のハイブリッド自動車において、例えばエンジンにより補機を駆動する場合や、エンジンの駆動力で走行を開始する場合は、イグニッションキー操作、プッシュスタート操作等のスタート操作によるエンジンスタート後、補機バッテリの充電等のために、実際の走行時だけでなく、イグニッションオンの状態中はエンジンが動作する。
【０００９】
そのため、蓄電装置の外部電源による充電が、エンジンの動作中（通常はアイドリング状態中）に蓄電装置の充電器と外部電源とをケーブル接続して開始される。
【００１０】
この場合、前記ケーブル接続の検知に基づいて前記メインリレーをオフして電力供給状態にすることを禁止したとしても、蓄電装置の充電中は、エンジンが動作中であり、エンジンの駆動力によってハイブリッド自動車が走行可能な状態に維持され、蓄電装置の外部電源による充電中に、エンジンの駆動力に基づき、ドライバの操作やクリープ現象等によってハイブリッド自動車が動き出し、充電器のコネクタや充電ケーブルの破損、回路故障等が生じるおそれがある。
【００１１】
また、前記特許文献１等に記載の従来のハイブリッド自動車の場合、前記ケーブル接続の検知に基づいて前記メインリレーを電力供給状態にすることを禁止し、充電中にモータ駆動が行なえないようにするだけであるので、ドライバ等は外部電源による充電中に車内に自由に入ることができる。
【００１２】
そのため、蓄電装置の外部電源による充電をエンジンの停止中、動作中のいずれで始める状態であっても、充電中にドライバ等が車内に入り、不用意にエンジンスタートやパーキングブレーキの解除等の操作を行なったりすると、充電中にハイブリッド自動車が動き出すおそれがあり、充電の十分な信頼性・安全性が得られない問題もある。
【００１３】
本発明は、エンジンの動作中に外部電源による蓄電装置の充電を開始してもハイブリッド自動車が動き出さないようにして充電の信頼性・安全性を向上することを目的とし、また、外部電源による充電中にドライバの不用意な操作によってハイブリッド自動車が動き出さないようにして充電の信頼性・安全性を向上することも目的とする。
【課題を解決するための手段】
【００１４】
上記した目的を達成するために、本発明のハイブリッド自動車の駆動装置は、駆動力の発生源としてのエンジン及びモータと、前記エンジン及び前記モータの駆動力を駆動輪に伝達する伝達手段と、前記モータの電源を形成する充電可能な蓄電装置と、前記蓄電装置の充電時に外部電源に接離自在に接続されて前記外部電源に基づく充電電力を前記蓄電装置に給電する充電接続手段とを備えたハイブリッド自動車の駆動装置であって、前記外部電源と前記充電接続手段とが接続された状態か否かを検出する検出手段と、前記外部電源と前記充電接続手段とが接続された状態を前記検出手段が検出した場合に、動作中の前記エンジンを停止制御するエンジン停止制御手段とを備えたことを特徴としている（請求項１）。
【００１５】
また、本発明のハイブリッド自動車の駆動装置は、前記外部電源と前記充電接続手段とが接続された状態を前記検出手段が検出した場合に、前記蓄電装置から前記モータへの給電を禁止制御するモータ停止制御手段を、さらに備えたことを特徴としている（請求項２）。
【００１６】
さらに、本発明のハイブリッド自動車の駆動装置は、駆動力の発生源としてのエンジン及びモータと、前記駆動力を駆動輪に伝達する伝達手段と、前記モータの電源を形成する充電可能な蓄電装置と、前記蓄電装置の充電時に外部電源に接離自在に接続されて前記外部電源に基づく充電電力を前記蓄電装置に給電する充電接続手段とを備えたハイブリッド自動車の駆動装置であって、前記外部電源と前記充電接続手段とが接続された状態か否かを検出する検出手段と、前記外部電源と前記充電接続手段とが接続された状態を前記検出手段が検出した場合に、ドアを閉じた状態にロックするロック制御手段とを備えたことを特徴としている（請求項３）。
【発明の効果】
【００１７】
請求項１の発明によれば、エンジンの動作中に充電接続手段を外部電源に接続して蓄電装置の外部電源による充電を開始すると、外部電源と充電接続手段とが接続された状態を、検出手段が検出し、この検出に基づいてエンジン停止制御手段がエンジンを停止制御して自動的に停止する。
【００１８】
そのため、エンジンの動作中に外部電源による蓄電装置の充電を開始すると、エンジンが必ず停止し、充電中にエンジンの駆動力によってハイブリッド自動車が動き出すことはなく、充電接続手段のコネクタや充電ケーブルの破損、回路故障等が防止されて充電の信頼性・安全性が向上する。
【００１９】
請求項２の発明によれば、エンジンの動作中に充電接続手段を外部電源に接続して蓄電装置の外部電源による充電を開始すると、前記検出手段の外部電源と充電接続手段とが接続された状態の検出に基づき、モータ停止制御手段によって蓄電装置からモータへの給電も禁止される。
【００２０】
そのため、蓄電装置の外部電源による充電中は、エンジンが必ず停止するとともに蓄電装置の電力でモータが誤って駆動されることもなく、充電の信頼性・安全性が一層向上する。
【００２１】
請求項３の発明によれば、検出手段の外部電源と充電接続手段とが接続された状態の検出に基づき、蓄電装置の外部電源による充電中はロック制御手段によって自動的にハイブリッド自動車のドアが閉じた状態にロックされる。
【００２２】
そのため、外部電源による蓄電装置の充電中は、ドライバは車内に入ることができず、ドライバによるエンジンスタートやパーキングブレーキの解除等の不用意な操作が発生せず、不用意な操作によってハイブリッド自動車が動き出すことがなく、充電の信頼性・安全性が向上する。
【発明を実施するための最良の形態】
【００２３】
つぎに、本発明をより詳細に説明するため、実施形態について、図１及び図２にしたがって詳述する。
【００２４】
（一実施形態）
請求項１、２に対応する一実施形態について、図１を参照して説明する。
【００２５】
図１は本発明が適用されるハイブリッド自動車１の駆動装置の構成を示すブロック図であり、同図の紙面の上、下がハイブリッド自動車１の前、後に対応する。
【００２６】
図１のハイブリッド自動車１は、本発明の駆動力の発生源としてのエンジン２及びモータ３が搭載され、通常はエンジン２で補機を駆動し、モータ３の駆動力で走行を開始する
。
【００２７】
具体的には、後述する蓄電装置１８の充電状態が良好（充電量が大）であれば、モータ３で走行を開始する。そのとき、エンジン２は補機駆動のため運転される。蓄電装置１８の充電状態が悪化していればエンジン走行となる。
【００２８】
そして、スタータ４を備え、ドライバのエンジンスタート操作（イグニッションキー操作やプッシュスイッチ操作）により、スタータ４が補機バッテリ５の出力で瞬時駆動されると、エンジン２が始動（エンジンスタート）する。以降、エンジンオフ操作が行なわれない限り、実際の走行時だけでなく、いわゆるイグニッションオンの状態中は補機の駆動や補機バッテリ５の充電等のためにもエンジン２が動作し続ける。
【００２９】
なお、補機バッテリ５は周知の補機バッテリと同様、例えば１２Ｖの２次電池からなり、各種コンピュータや燃料噴射の電子機器等を含むハイブリッド自動車１の各種電装部品等を給電駆動する。
【００３０】
そして、本実施形態のハイブリッド自動車１はオートマッチック車（ＡＴ車）であり、エンジンスタート後、ドライバがパーキングブレーキレバー６を緩めてパーキングブレーキを解除し、シフトレバー８を例えばニュートラル（Ｎ）からドライブ（Ｄ）にレンジ移動（シフトチェンジ）することにより、エンジン２の駆動力がトランスミッション９を介して駆動軸１０の左、右の前輪（駆動輪）１ｌＬ、１１Ｒに伝達される。
【００３１】
このとき、ドライバがブレーキペダル（図示省略）から足を離すと、アクセルペダル１２を踏まなくても、クリープ現象によって前輪１１Ｌ、１１Ｒが回転し、それに伴って後軸１３の左、右の後輪１４Ｌ、１４Ｒも回転し、ハイブリッド自動車１が前方に動き出す。
【００３２】
さらに、通常ドライバがアクセルペダル１２を踏み込むと、ハイブリッド自動車１は、蓄電装置１８の充電状態が良好であればモータ３の駆動力で走行を開始し、蓄電装置１８の充電状態が良好でなければエンジン２の駆動力で走行を開始する。
【００３３】
このとき、モータ３の回転速度の検出及び、シフトレバー８の操作や車速、加減速等から把握される車両走行状態にしたがってクラッチ機構１７がモータ３の出力軸を駆動軸１０に接離する。この離接により、エンジンスタート後、車両走行状態に応じてモータ３が発生する駆動力が前輪１１Ｌ、１１Ｒに伝達され、ハイブリッド自動車１はモータ３の駆動力によって走行する。なお、トランスミッション９、駆動軸１０、クラッチ機構１７等が本発明の伝達手段である。
【００３４】
また、エンジン２はエンジンコンピュータ１５により、アクセルペダル１２の加減速操作等にしたがって、燃料噴射等の電子制御が施される。トランスミッション９はトランスミッションコンピュータ１６により、車速変化等に応じた変速制御が施される。
【００３５】
つぎに、ハイブリッド自動車１はモータ３の電源を形成する本発明の蓄電装置１８を搭載する。この蓄電装置１８は、充電可能なバッテリ（２次電池）や電気二重層コンデンサ（キャパシタ）等からなり、その直流高電圧出力は開閉器１９を介してインバータ２０で交流に変換され、インバータ２０の交流出力でモータ３が駆動される。
【００３６】
蓄電装置１８の充電（蓄電）状態は、蓄電装置監視コンピュータ２１により、蓄電装置１８の電圧、電流等を監視して把握され、その結果によってインバータ２０駆動等が制御される。
【００３７】
さらに、蓄電装置１８には充電器２２の直流出力側が接続され、充電器２２の交流入力側は充電ケーブル２３を介して電源プラグ２４が接続されている。なお、充電器２２及び充電ケーブル２３、電源プラグ２４が本発明の充電接続手段を形成する。
【００３８】
充電器２２は充電制御コンピュータ２５を有する。充電制御コンピュータ２５は、本発明の検出手段を形成し、充電器２２の入力側の電圧から、外部電源と前記充電接続手段とが接続された状態か否かを検出する。
【００３９】
蓄電装置監視コンピュータ２１は、ＣＡＮ等の車内ＬＡＮ（図示省略）により、車内の各コンピュータ１５、１６等と同様、エンジン２やモータ３の動作情報、ハンドル７やレバー６、８、ペダル１２等の操作情報等も収集する。
【００４０】
そして、それらの情報に基づいて蓄電装置監視コンピュータ２１は蓄電装置１８の充電を制御する。
【００４１】
ところで、充電ケーブル２３及び電源プラグ２４は、常時は充電器２２に接続された状態で車内に収納され、蓄電装置１８を外部電源で充電する際に車外に引き出されて電源プラグ２４が外部電源に接離自在に接続される。
【００４２】
前記外部電源は、本実施形態の場合、一般家庭等においても簡単に充電できるようにするため、例えば１００Ｖの商用交流電源である。
【００４３】
つぎに、蓄電装置１８の外部充電について説明する。
【００４４】
例えば、ドライバが、ハイブリッド自動車１をエンジンスタートした後、蓄電装置１８の充電不足に気が付いた場合や、ハイブリッド自動車１を運転して自宅に戻った場合等に、蓄電装置１８を外部電源で充電するため、車内において、シフトレバー８をＤレンジ（又はＮレンジ或いはＰレンジ）に入れたまま、パーキングブレーキレバー６を引いてパーキングブレーキをかけると、ハイブリッド自動車１は、走行は停止しているが、エンジン２が動作している状態になる。
【００４５】
このようにエンジン２を停止させていない状態でドライバは車外に出て充電ケーブル２３を引き出し、その電源プラグ２４の２極又は３極の電極を建物の壁面等の商用電源コンセントに差し込み、充電器２２を商用交流電源に接続する場合がある。
【００４６】
このとき、商用電源コンセントの交流電源の電圧が充電ケーブル２３を通って充電器２２の入力側に印加され、この電圧印加に基づいて、充電器２２の充電制御コンピュータ２５は、外部電源と充電接続手段とが接続された状態を充電可能状態として検出する。
【００４７】
そして、充電制御コンピュータ２５は、前記充電可能状態を検出すると、蓄電装置監視コンピュータ２１の監視結果等に基づいて充電器２２の直流出力を制御し、例えば周知の定電圧充電法又は定電流充電法で蓄電装置１８を充電する。
【００４８】
ところで、前記充電可能状態を検出したときには、ハイブリッド自動車１はエンジン２が動作中であり、エンジン２の駆動力によって走行可能な状態に維持されている。
【００４９】
そのため、この状態で蓄電装置１８の充電を始めると、充電中にドライバが誤ってＤレンジのまま、又は、ＮレンジやＰレンジからＤレンジに入れ、パーキングブレーキを解除してアクセルペダルを踏んだり、パーキングブレーキの効きがあまく、いわゆるクリープ現象が発生したりしてハイブリッド自動車が動き出すと、充電ケーブル２３や電源プラグ２４の破損、充電器２２の回路故障等が生じる。
【００５０】
そこで、本実施形態においては、電源プラグ２４が商用電源コンセントに差し込まれて充電器２２が商用交流電源に接続されたときに、充電器２２の入力側が商用電源コンセントの交流電源の電圧になることから、充電器２２の充電制御コンピュータ２５により、外部電源と充電接続手段とが接続された充電可能状態を検出する。
【００５１】
さらに、前記車内ＬＡＮを通して充電制御コンピュータ２５の前記充電可能状態の検出結果を受信したエンジンコンピュータ１５は、本発明のエンジン停止制御手段を形成し、前記充電可能状態の検出結果の受信により、例えば燃料噴射の強制停止の割り込み処理を実行して動作中のエンジン２を停止制御して自動的に停止する。
【００５２】
したがって、本発明では、エンジン２が停止してから外部電源による蓄電装置１８の充電が始まることになり、充電中はエンジン２が必ず停止し続け、充電中にエンジン２の駆動力によってハイブリッド自動車１が動き出すことがなく、充電ケーブル２３や電源プラグ２４の破損、充電器２２の回路故障等が防止されて充電の信頼性・安全性が向上する。
【００５３】
なお、充電中とは、外部電源と充電接続手段とが接続されてから充電が始まるまでの充電準備期間も含むものであり、以下同様である。
【００５４】
また、本実施形態の場合、前記充電可能状態の検出結果を受信したエンジンコンピュータ１５は、その後、充電が終了して電源プラグ２４が商用電源コンセントから引き抜かれ、外部電源と充電接続手段とが切り離されて前記充電可能状態の検出結果を受信しなくなるまで、スタータ４の駆動も禁止し、充電中はドライバのエンジンスタート操作を無効にしてエンジン２の起動ができないようにし、充電の信頼性・安全性を一層向上する。
【００５５】
つぎに、本実施形態においては、充電の信頼性・安全性をさらに一層向上するため、前記開閉器１９とその開閉制御コンピュータ２６も備える。
【００５６】
開閉器１９とその開閉制御コンピュータ２６は本発明のモータ停止制御手段を形成し、エンジン２、モータ３の駆動の有無等の影響を受けないようにするため、補機バッテリ５によって動作する。
【００５７】
そして、蓄電装置１８を外部電源で充電するため、電源プラグ２４が商用電源コンセントに差し込まれて充電器２２が商用交流電源に接続されると、開閉制御コンピュータ２６は、前記車内ＬＡＮを通して充電制御コンピュータ２５の充電可能状態の検出結果を受信し、この受信により開閉器１９を閉から開に切り換える。
【００５８】
したがって、蓄電装置１８の充電中は、蓄電装置１８からインバータ２０への高電圧系の給電路も遮断され、蓄電装置１８の電力によってモータ３が誤って駆動されることもなく、充電の信頼性・安全性がさらに一層向上する。なお、何らかの原因で充電開始前にモータ３が既に給電駆動されていてたとしても、開閉器１９が開放するため、充電開始時にはモータ３が確実に停止する。
【００５９】
そして、蓄電装置１８を搭載しているが、それを外部電源で充電する機能は備えていない既存のハイブリッド自動車に、充電器２２、その付属の充電ケーブル２３、電源プラグ２４も付加することにより、部品数が少なく簡単、安価に蓄電装置１８を外部電源で安全に充電する機能を備えた新規なハイブリッド自動車１を製造することができる。
【００６０】
（他の実施形態）
他の実施形態について、図１及び図２を参照して説明する。
【００６１】
図２は蓄電装置１８を外部充電する時のドアロック制御の説明図である。
【００６２】
本実施形態においては、ハイブリッド自動車１に図１に示すドアロック制御コンピュータ２７も備える。
【００６３】
このドアロック制御コンピュータ２７は本発明のドアロック制御手段であり、電源プラグ２４が商用電源コンセントに差し込まれて充電器２２が商用交流電源に接続されると、前記車内ＬＡＮを通して充電制御コンピュータ２５の充電可能状態の検出結果を受信し、この受信により、図１の計５枚のドア２８の電動ロック機構を作動して全ドア２８を閉じた状態にドアロックする。
【００６４】
したがって、蓄電装置１８の外部電源による充電中は、自動的にハイブリッド自動車１の全ドア２８が閉じた状態にロックされ、車外のドライバは不用意に車内に入ることができなくなる。
【００６５】
なお、車内からはロック解除できるようになっている。例えば、乗員が車内に取り残された場合でも、当然自力で車外に出られるようにするためである。
【００６６】
そのため、充電中に、ドライバによるエンジンスタートやパーキングブレーキの解除等の不用意な操作が発生せず、不用意な操作によってハイブリッド自動車１が動き出すことがなく、充電の信頼性・安全性がさらに一層向上する。
【００６７】
なお、蓄電装置１８の充電が終了し、電源プラグ２４が商用電源コンセントから引き抜かれると、エンジン動作中に充電を始めた場合、イグニッションキーがキーシリンダに差し込まれた状態になっているので、いわゆる「キー閉じ込め」の状態にならないようにするため、ドアロック制御コンピュータ２７は各ドア２８の電動ロック機構を開放して全ドア２８のドアロックを自動的に解除する。
【００６８】
つぎに、エンジンの停止状態で蓄電装置の充電を始める場合について、図１を用いて説明する。
【００６９】
すなわち、上述したように蓄電装置１８の電力で走行を開始し、その後、走行中にエンジン２を動作してエンジン２の駆動力で走行し続けるタイプのハイブリッド自動車は、エンジン２の停止状態で電源プラグ２４が商用電源コンセントに差し込まれて充電器２２が商用交流電源に接続され、エンジン２の停止状態で蓄電装置１８の充電が始まる。
【００７０】
そして、この場合も、ドアロック制御コンピュータ２７により、充電制御コンピュータ２５の充電可能状態の検出結果を受信して全ドア２８を閉じた状態にドアロックすることにより、蓄電装置１８の外部電源による充電中は、自動的にハイブリッド自動車１の全ドア２８が閉じた状態にロックされ、車外のドライバは不用意に車内に入ることができなくなる。
【００７１】
そのため、充電中に、ドライバによるエンジンスタートやパーキングブレーキの解除等の不用意な操作が発生せず、不用意な操作によってハイブリッド自動車１が動き出すことがなく、充電の信頼性・安全性がさらに一層向上する。
【００７２】
なお、この場合、蓄電装置１８の充電が終了し、電源プラグ２４が商用電源コンセントから引き抜かれても、イグニッションキーがキーシリンダに差し込まれていないため、ドアロック制御コンピュータ２７は各ドア２８のドアロックを継続する。
【００７３】
そして、ドアロック制御コンピュータ２７は、具体的には、例えば図２に示すように動作する。
【００７４】
すなわち、電源プラグ２４が商用電源コンセントに差し込まれて充電器２２が商用交流電源に接続され、蓄電装置１８の充電を開始するときには、図２のステップＳ１からステップＳ２に移行してドアロックを行なう。
【００７５】
また、キーの閉じ込めを防止するため、ステップＳ２からステップＳ３に移行してキーシリンダにイグニッションキーが差し込まれているか否かを判別する。
【００７６】
そして、キーシリンダにイグニッションキーが差し込まれていなければ、ステップＳ３からステップＳ４に移行してイグニッションキーによるドアロックの解除を無効にする。このようにすることで、ドライバが充電中であること忘れて又は知らずに、イグニッションキーでドア２８を開けてハイブリッド自動車１を走行させてしまうことや、坂道停車の場合にパーキングブレーキを解除してしまいハイブリッド自動車１が動き出すことを、防止できる。
【００７７】
その後、蓄電装置１８の充電を開始する。
【００７８】
一方、ステップＳ２でドアロックを行なったときに、キーシリンダにイグニッションキーが差し込まれていると、イグニッションキーによるドアロックの解除を無効にすることなく、蓄電装置１８の充電を開始する。
【００７９】
つぎに、蓄電装置１８の充電が終了し、電源プラグ２４が商用電源コンセントから引き抜かれると、図２のステップＳ５からステップＳ６に移行する。
【００８０】
このとき、キーシリンダにイグニッションキーが差し込まれていれば、ステップＳ６からステップＳ７に移行してドアロックを解除する。
【００８１】
一方、キーシリンダにイグニッションキーが差し込まれていなければ、ステップＳ６からステップＳ８に移行し、ドアロックは維持しつつイグニッションキーによるドアロックの解除を有効にする。あくまでもドア２８のロック解除はイグニッションキーで行なえるようにするためであり、このようにすることで、他人に電源プラグ２４が引き抜かれて車内に進入されるのを防止できる。
【００８２】
なお、ドアロック制御コンピュータ２７は補機バッテリ５または商用電源コンセントの外部電源からの給電によって動作する。
【００８３】
一方、ドアロックした場合には例えばドアロック制御コンピュータ２７によってハザードランプを点滅し、充電開始を報知し、充電終了時にもハザードランプを点滅し、その旨を報知するようにしてもよい。
【００８４】
そして、本発明は上記した両実施形態に限定されるものではなく、その趣旨を逸脱しない限りにおいて上述したもの以外に種々の変更を行なうことが可能である。
【００８５】
例えば、ハイブリッド自動車１がプッシュスタート操作で始動するプッシュスタート方式の場合は、プッシュスタート操作により、よく知られているように、コンピュータ制御でイグニッションオフの状態からスタータ４を作動してエンジン２を起動し、エンジン２が起動すると、自動的にイグニッションオンの状態に維持する。
【００８６】
そこで、このイグニッションオンの状態で蓄電装置１８の充電を開始することにより、エンジンコンピュータ１５により燃料噴射を停止してエンジン２を止めるだけでなく、その直後またはそれから一定時間後に前記コンピュータ制御もイグニッションオンの状態からイグニッションオフの状態に戻すことが好ましい。
【００８７】
この場合、イグニッションオフの状態にすることにより、ハイブリッド自動車１は各部の電装部品がイグニッションオフの状態で必要な省電力状態になり、蓄電装置１８の充電中の補機バッテリ５等の電力浪費を防止しいわゆるバッテリ上がり等を招来しないようにすることができる。
【００８８】
つぎに、蓄電装置１８の充電中にハイブリッド自動車１をより一層確実に停止状態に保持するため、電源プラグ２４が商用電源コンセントに差し込まれて充電器２２が商用交流電源に接続されたときに、その検出に基づいてパーキングブレーキレバー６を電動制御で引いて自動的にパーキングブレーキをかけるようにすることが好ましい。また、電源プラグ２４が商用電源コンセントに差し込まれて充電器２２が商用交流電源に接続されたときに、シフトレバー８を自動的にＰレンジに移動して固定することも好ましい。
【００８９】
つきに、エンジン２が停止しているイグニッションオフの状態で電源プラグ２４を商用電源コンセントに差し込んで充電器２２を商用交流電源に接続し、蓄電装置１８を外部電源で充電する場合、（１）補機バッテリ５等の電力浪費を極力抑えるため、充電に関係する蓄電装置監視コンピュータ２１、充電器２２、充電制御コンピュータ２５等のみを給電駆動し、残りのコンピュータ等の各電装部品等は給電駆動しないようにすることが望ましい。（２）充電専用のキーを使用しないと充電が開始しないようにして蓄電装置１８の充電中に誤ってハイブリッド自動車１が走行しないようにすることも好ましい。（３）充電専用のキーに代えて指紋認証によって充電を開始するようにし、蓄電装置１８の充電中に誤ってハイブリッド自動車１が走行しないようにすることも好ましい。
【００９０】
さらに、充電器２２や充電ケーブル２３、電源プラグ２４の構成や形状等はどのようであってもよく、外部電源が１００Ｖ以外の商用交流電源や専用の交流電源または直流電源であってもよいのは勿論である。
【００９１】
そして、本発明は、種々のハイブリッド自動車１の蓄電装置１８の充電に適用することができる。
【図面の簡単な説明】
【００９２】
【図１】本発明の一実施形態のハイブリッド自動車の駆動装置の構成を示すブロック図である。
【図２】本発明の他の実施形態のドアロック制御のフローチャートである。
【符号の説明】
【００９３】
１    ハイブリッド自動車
２    エンジン
３    モータ
１５    エンジンコンピュータ
１８    蓄電装置
１９    開閉器
２２    充電器
２３    充電ケーブル
２４    電源プラグ
２５    充電制御コンピュータ
２６    開閉制御コンピュータ
２７    ドアロック制御コンピュータ
２８    ドア
【図１】
2008284952.tif 000003
【図２】
2008284952.tif 000004